(57)【要約】  この発明は、本体（１）とノズル（３）とを備える加圧歯磨き具に関するもので、後者は、磨きパウダーを液体噴流で囲みながら、磨きたい歯に加圧噴射するようになっているものである。前記磨き具は、三つの変形可能な要素、即ち、軸方向チャンネルを形成する第１の筒状要素（１０）、この要素と同心になっていて外側にある第２の筒状要素（９）及び前記第１の要素と第２の要素（１０，９）の間にあり、流体が流れる長く延びているチャンネル（１３）が設けられている第３の筒状要素を備え、前記三つの要素（９，１０，１１）は、曲げたり、真っすぐしたりすることができ、これらの少なくとも一つの要素は、他の二つの要素が曲げられた状態又は真っすぐにされた状態にされた後、そのような状態を保つことができるになっているノズル（３）を特徴とする。
2005511127.tif 000002
【特許請求の範囲】
【請求項１】
本体（２）とノズル（３）とを備え、後者は、磨きパウダーを液体噴流で囲みながら、磨きたい歯に加圧噴射するようになっている加圧歯磨き具であり、前記ノズル（３）は三つの変形可能な要素、即ち、
−軸方向に長く延び、内部チャンネルを形成する第１の筒状要素（１０）、
−この要素と同心になっていて外側にある第２の筒状要素（９）、
−前記第１の要素と第２の要素（１０，９）の間にあって、その全長にわたりぴったり当接し合い、長く延びているチャンネル（１３）が設けられ、該チャンネルを介してその後部から前部にかけて流体が循環するようになっている第３の筒状要素又はスペーサー要素（１１）を備え、
前記三つの要素（９，１０，１１）は、曲げたり、真っすぐしたりすることができ、これらの少なくとも一つの要素は、他の二つの要素が曲げられた状態又は真っすぐにされた状態にされた後、そのような状態を保つことができるになっていることを特徴とするもの。
【請求項２】
前記状態を維持するようになっている要素は、外側要素（９）であることを特徴とする請求項１による磨き具。
【請求項３】
前記三つの要素（９，１０，１１）は、取り外しできるサブアッセンブリウーであることを特徴とする請求項１による磨き具。
【請求項４】
前記スペーサー要素（１１）は、ＦＥＰ又はＰＴＦＥにより構成されている前記請求項のいずれか一つによる磨き具。
【発明の詳細な説明】
【技術分野】
【０００１】
この発明は、歯に使用の手動器具、特に詳しくは、空気による歯磨き装置に関するものである。
【０００２】
このような装置は、患者の歯に対して、例えば、重炭酸ナトリウムのようなもので効果的に組成された磨き粉末を噴射するのに使用されていることが知られている。実用の面からみると、前記装置は、一方では、中央チャンネルを介して粉末を加圧噴射し、他方では、環状チャンネルを介して中央噴射まわりに水を噴射するようになっている。
【０００３】
従来技術のこの形式の装置においては、噴射ノズルは、該用具の長さ方向軸に対し所定の角度をもっており、この角度は、工場における製造工程の段階で決められてしまう。そこで、使用に当たっては、この所定の角度は、異なる患者の特定の組織形態と歯医者の通常の持ち方に合ったものにならず、この結果、歯医者にとって使い難いものになっている。このような角度が特定の治療を歯医者が行うに当たり、その治療に合うようになっていたとしても、別な治療を行ったり、及び／又は、患者が違う場合には、全く不適当なものになってしまう。
【０００４】
この発明の目的は、行う治療ごとに、使用者の個々の患者の組織形態と使用者の持ち方に合うように形を修整するごとができるようにし、しかも、供給する流体に治療面での影響を与えずに形を修整できるようにした空気磨き用具の提供で前記欠点を解決しようとするものである。
【０００５】
このように、この発明は、その目的を加圧歯磨き用具にもつものであって、この歯磨き用具は、本体とノズルとを備え、後者は、磨きパウダーを液体噴流で囲みながら、磨きたい歯に加圧噴射するようになっている加圧歯磨き具であり、前記ノズル（３）は三つの変形可能な要素、即ち、
−軸方向に長く延び、内部チャンネルを形成する第１の筒状要素、
−この要素と同心になっていて外側にある第２の筒状要素、
−前記第１の要素と第２の要素の間にあって、その全長にわたりぴったり当接し合い、長く延びているチャンネルが設けられ、該チャンネルを介してその後部から前部にかけて流体が循環するようになっている第３の筒状要素又はスペーサー要素を備え、
前記三つの要素は、曲げたり、真っすぐしたりすることができ、これらの少なくとも一つの要素は、他の二つの要素が曲げられた状態又は真っすぐにされた状態にされた後、そのような状態を保つことができるになっていることを特徴とするものである。
【０００６】
前記状態を維持するようになっている要素は、外側要素が好ましい。
【０００７】
この発明の好ましい実施の態様においては、前記三つの要素は、取り外しできるサブアッセンブリーであり、これによって施術者が当該部分を滅菌できるようになっている。
【０００８】
この発明の実施の態様を添付の図面を参照しながら限定されない実施の態様により、以下に説明する。
【０００９】
図１と図２は、この発明による空気による歯磨き具１を示すもので、図１に略図で示すように歯医者が手で握れる手持ちグリップ２に取り付けることができるようになっている。前記手持ちグリップの前端部は、ノズル３になっていて、このノズルには、長さ軸方向のチャンネル部７が貫通しており、このチャンネル部は、金属チューブ又は外側チューブ９にそって固定されており、これらは、ノズル３からある距離分ｌ突き出ている。
【００１０】
前記外側チューブ９の内面でスペーサー要素１１を受け、この要素は、簡単に変形できる素材で作られており、この素材は、さらに、衛生面上、ＦＥＰ（フッ化エチレンプロピレン）又はＰＴＦＥ（ポリテトラフルオロエチレン）などのオートクレーブでの処理に必要な温度に十分耐えることができるものでなければならず、そしてさらに、前記要素の外側面に長さ方向に複数の溝１３が設けられていて、これら溝は、チューブ９の内面との間で長さ方向の複数のチャンネルを構成するようになっている。前記スペーサー要素１１には、軸方向にチャンネル８が貫通し、このチャンネルに中央チューブ１０が受けられ、両者は、密着している。
【００１１】
外側チューブ９は、好ましくは、ステンレススチールから構成されており、このチューブは、焼鈍熱処理され、変形され、応力がかからなくなった後、変形状態を保つ良好な特性を有している。
【００１２】
チューブ類を曲げて変形することは、デリケートな操作であることが知られていて、この操作には、器具類と確かな技術を必要とするもので、さもなければ、前記チューブが角度的に打ち当たってしまうようになる。
【００１３】
この発明によれば、二つの外側チューブ（９）と中央チューブ（１０）との間にあるスペーサー要素１１は、実際に二つの機能、即ち、これら二つの同心チューブの間隔を一定に、所定の間隔通りに保ち、供給される流体の正常な流れに役立つ第１の技術的機能と、双方のチューブのいずれか一方に加えられる変形作用を一方のチューブから他方のチューブへ、特に、外側チューブ９から中央チューブ１０へ向けて伝え、これによって、前記複数のチューブの曲率を合わせ、前記した角度的に打ち当たってしまうような現象を避ける第２の技術的機能とをもつ。
【００１４】
外側チューブ９は、変形応力が作用しなくなった後、加えられた変形を保つようになっている良好な変形保持作用の素材で構成されるが、多くの場合には、中央チューブ１０にもこれが適用され、二つのチューブ９，１０に又は同様にスペーサー要素１１にも適用される。
【００１５】
図４に示すように、使用者がノズル３の出口における軸ｚｚ’とその長さ方向軸ｘｘ’により形成される角度αを変えたいときには、外側チューブ９を曲げれば、この曲率によりスペーサー要素１１は、軸チューブ１０の対応するすべてのポイントに前記要素が受けている応力を伝え、これによって、前記二つのチューブは、折り曲げられることなく正常に変形される。
【００１６】
図３に示すように、前記磨き具のノズル３は、特に滅菌が終われば、簡単に取り外すことができる手段を備えている。
【００１７】
かくして、このようなノズル３は、図に示す実施の態様においては、筒状後部３ａが直径が太くなっている筒状部３ｂの前方へ延び、切断先端部３ｃになっているように構成されている。この後者が外側チューブ９を受け、このチューブの内側にスペーサー要素１１と中央チューブ１０とが配置されている。ノズル３は、手持ち部２の前部に設けられた対応する形状の円筒城野凹部に嵌合される。
【００１８】
中央チャンネル（図示せず）による供給は、例えば、ノズル３の後部によって確保され、環状チャンネルは、ノズル３に開孔しているラジアルの孔１２により確保され、手持ち部２に設けられたチャンンメル１４に連通している。
【００１９】
この発明によれば、当然のことながら、スペーサー要素１１は、応力が作用しなくなった後、曲げ応力によって加えられた角度αを保つに適した焼鈍されたステンレススチールのような素材で作られている。一つの実施の態様においては、外側チューブ（９）と中央チューブ（１０）は、例えば、ＦＥＰ又はＰＴＦＥのようなしなやかで、弾性がある素材で作られている。
【図面の簡単な説明】
【００２０】
【図１】この発明による加圧磨き具の手持ち部に配置された散布ノズルの長さ軸方向の断面図。
【図２】図１のＩＩ−ＩＩ線にそう矢視方向の拡大断面図。
【図３】図１に示す散布ノズルの変形の実施の態様の長さ軸方向の断面図。
【図４】この発明による散布ノズルの縮小した部分立面略図。
【図１】
2005511127.tif 000003
【図３】
2005511127.tif 000004
【図２】
2005511127.tif 000005
【図４】
2005511127.tif 000006
【国際調査報告】
2005511127.tif 000007
2005511127.tif 000008
2005511127.tif 000009
2005511127.tif 000010